(57)【特許請求の範囲】
【請求項１】
油膜除去機能を持つクリーナー素材からなり、親指又は人差し指に被着される指袋の先端部側に開口部を設けた事を特徴とするタッチパネル操作具。
【請求項２】
開口部の周縁に起毛部を備えた事を特徴とする請求項１記載のタッチパネル操作具。
【発明の詳細な説明】
【技術分野】
【０００１】
本発明は、タッチパネルを指等で直接触れて操作する時に用いる操作具に関する。
【背景技術】
【０００２】
タッチパネルを指で直接触れて操作する情報端末機の画面表面は、触ると汚れが付くので拭き掃除をしなければならない。タッチパネル操作中の画面表面は常に操作者の指の油が油膜として画面に付着し、さらに埃等の汚れが付着しているという背景があり、タッチパネルの画面表面の汚れを除去する為には画面に損傷を与えない柔らかい鹿皮や超極細布などの布状の物で拭ったりして汚れを落としているのが一般的である。
【０００３】
このように、タッチパネル画面表面に付着した手垢や埃汚れを除去し清潔な状態で使用するためには、新たに時間を費やして汚れを拭き取るという作業をしなければならない。せっかく情報端末でスピーディな情報を得ながらも、タッチパネルの掃除に新たに手が掛かるという問題点があり、スピード時代の昨今の環境からすると、この作業は相当な時間ロスの問題になり得る。
【先行技術文献】
【特許文献】
【０００４】
【特許文献１】特開２００８−０８１８９６  静電容量式タッチパネル操作用手袋
【特許文献２】実登３１６０２１１    手袋
【発明の概要】
【発明が解決しようとする課題】
【０００５】
本発明は上記の問題点を解決し、タッチパネルを指等で触れて情報を得たりする操作をする事により、タッチパネル上に残る手垢や埃汚れを自動的に取り除くことが出来るタッチパネル操作具を提供しようとするものである。
【課題を解決するための手段】
【０００６】
以上の事を解決するために、第１の発明は、油膜除去機能を持つクリーナー素材からなり、親指又は人差し指に被着される指袋の先端部側に開口部を設けた。
【０００７】
第２の発明は、第１の発明において、指袋の開口部の周縁に起毛部を備えた。
【発明の効果】
【０００８】
請求項１記載の発明によれば、指袋の先端部側に開口部を設けることにより、タッチパネル画面と指とが直接触れることが出来るようになり、タッチパネルを確実に操作することが出来るとともに、タッチパネル画面表面に付着した手垢や埃汚れを自動的に取り除く事が出来る。
【０００９】
請求項２記載の発明によれば、指袋先端部の開口部の周縁に起毛部を備えた事で、起毛の作用によりクリーニング効果を増す。
【図面の簡単な説明】
【００１０】
【図１】本発明による開口部を設けたタッチパネルの操作具の一実施例を示す斜視図である。
【図２】同、開口部の周縁に起毛部を設けた実施例を示す斜視図である。
【図３】同、断面図である。
【発明を実施するための形態】
【００１１】
以下、本発明の実施するための形態を図１〜図３に基づいて具体的に説明する。
【００１２】
図１において、１は指袋で、全体がタッチパネル画面表面にタッチしてもタッチパネル画面表面に損傷を与える恐れがなく、かつ、油膜除去機能を持つクリーナー素材の生地からなり、眼鏡拭きや携帯画面付記の掃除等に使用される超極細繊維等、例えば、超極細繊維素材の綿・ポリエステル・レーヨン・鹿皮等を用いて形成されている。指袋１には、親指又は人差し指を出し入れする開口２を有し先端部側に開口部４を設けている。指袋１の開口端側には脱落防止用の締め付け部３を設け、指袋１が指より容易に抜け落ちないよう構成している。
【００１３】
ここで、指袋１に用いる超極細繊維等の素材は、洗濯可能が望ましい。
【００１４】
なお、開口２の大きさは、それぞれの指が挿入できる大きさとする。
【００１５】
上記実施例において、締め付け部３は、指袋１が指より容易に抜け落ちないよう、指袋１の開口端側に設けたものであるが、紐を結わえたり、ゴム状のものを通したり、伸縮性のある素材を縫い込んだり、又は指袋１の生地をゴム編みにしたり、被着した指袋１が指より抜け落ちることの無いよう形成している。要するに、装着したタッチパネル操作具の指袋１がタッチパネル操作中に容易に外れなければ締め付け部３の手段は問わない。
【００１６】
本発明のタッチパネル操作具の使い方を、図１を用いて説明する。
図１に示すような、油膜除去機能を持つクリーナー素材からなり、先端部側に開口部４を設けた指袋１を２個用意し、指袋１の開口２より親指と人差し指の指それぞれの指先が指袋１の先端部に届くように挿入し、タッチパネル画面表面に触るところの指が開口部４より露出するよう装着させる。指袋１を被着した親指人差し指それぞれでタッチしたりスライドしたりして情報端末機を操作する事により、タッチパネル画面表面に付着した手垢や汚れを自動的に取り除くことが出来る。
【００１７】
ここで、油膜除去機能を持つクリーナー素材の生地は、指袋１が指にフィットできる素材で、関節部や屈曲部を曲げても容易に指より抜け落ちないものとし、タッチパネル操作に障害のない薄地とするのが望ましい。
【００１８】
上記実施例において、少なくとも開口部４の大きさは、操作者の指の腹の大きさより小さな穴とし、操作中に指が開口部４から飛び出さないような大きさとするのが望ましい。
【００１９】
図２は、図１の指袋本体の開口部の周縁に起毛部を設けた実施例を示す斜視図であり、図３は図２の断面図である。
５は起毛部で、開口部４の周縁に起毛部５を備える事で、タッチパネル画面表面に付着した手垢や埃汚れをすばやく、かつ、より効果的に取り除くことが出来る。
【００２０】
なお、起毛部５の素材は、指袋１の素材と同じでも良いとし、タッチパネル画面表面に損傷が無く汚れを拭える起毛を有する素材であればよい。
【００２１】
また、起毛部５の固着方法は、たとえば、指袋１の切断面のほころびた繊維を裁いてぼかせてもよいし、起毛部５を開口部４の周縁に縫合してもよい。
【００２２】
しかし、この場合でも、起毛部５は、開口部４より指の一部を出してタッチパネルに触る事で誤作動無く操作出来るようにするもので、起毛部５により、タッチパネル画面表面に指が接触できず、情報を得られないような高さや硬さ等を備えてはいけない。
【００２３】
以上の実施例において、タッチパネル画像の拡大縮小操作は、タッチパネル画面表面に触れた部分の二点を離したり縮めたりして画像を大きくしたり小さくしたりするので二本の指に指袋１を装着させるよう説明したが、タッチパネル画面表面を指でタッチしたりスライドさせたり操作する指は、親指又は人差し指等の二本に限らず一本でも三本でも、又は全ての指に指袋１を被着することが出来る。
【符号の説明】
【００２４】
１・指袋
２・開口
３・締め付け部
４・開口部
５・起毛部
【要約】
【課題】指でタッチパネル画面表面を操作する際、画面表面に付着した汚れを迅速に除去することができるよう、操作者の指に被着するよう形成したタッチパネル操作具を提供する。
【解決手段】例えば図１の場合、人の手が触れる事でタッチパネル画面表面に付着する手垢や埃汚れ等を、タッチパネル操作中に画面に触れるたびに自動に取り除くことが出来るよう、指袋１に指を出し入れ出来る開口２を有し、指袋先端部側に開口部４を備え、開口部４より露出した指でタッチパネルを触れるように操作する。タッチしたりスライドしたりとタッチパネル画面表面に触れるたびに画面表面に付着した手垢や埃汚れを自動的に取り除くことが出来るため、常に画面は綺麗で衛生的に操作する事が出来るとともに、タッチパネル画面表面を掃除するという特別な操作を行う必要がなくなる。
【選択図】  図１【図１】
0004755296.tif 000002
【図２】
0004755296.tif 000003
【図３】
0004755296.tif 000004